(57)【要約】【課題】締結部材を締め付けたときにコネクタハウジングとの間に隙間が生じることなく、確実な防水性を確保する。【解決手段】グロメット１は、コネクタハウジング４の外周面４ａに取り付けられるグロメット１であり、先端側の外表面１ａａの結束バンド６が装着されるバンド装着部１ａに低摩擦部１ａｂが形成されている。従って、結束バンド６を締め付けた際に、グロメット１と結束バンド６との摩擦が抑えられ、結束バンド６が滑りながらグロメット１を締め付けるので、グロメット１が偏って変形し、その一部がコネクタハウジング４の外周面４ａから浮くように離れることがなく、確実な防水性を確保することができる。【選択図】図１
2015050830.tif 000002
【特許請求の範囲】
【請求項１】
コネクタハウジングの外周面に取り付けられるグロメットであって、
先端側の外表面の締結部材が装着される部分に低摩擦部を形成した
ことを特徴とするグロメット。
【請求項２】
前記低摩擦部は、前記外表面の少なくとも一部に形成された凹凸面である
ことを特徴とする請求項１記載のグロメット。
【請求項３】
前記低摩擦部は、前記外表面の少なくとも一部に所定の塗料が塗布された部分である
ことを特徴とする請求項１記載のグロメット。
【請求項４】
前記低摩擦部は、前記外表面の少なくとも曲面部分に形成されている
ことを特徴とする請求項１〜３のいずれか１項記載のグロメット。
【発明の詳細な説明】
【技術分野】
【０００１】
この発明は、コネクタハウジングに取り付けられるグロメットに関し、締結部材で締め付けたときにコネクタハウジングとの間の隙間の発生を防止するグロメットに関する。
【背景技術】
【０００２】
従来より、コネクタハウジングにグロメットを取り付けて、これらの間からの水分の浸入を防止するようにしたシールドコネクタが知られている（例えば、下記特許文献１参照）。このシールドコネクタは、コネクタハウジングと締結部材との間に挟み付けられるグロメットの被挟圧部のうち、コネクタハウジングの外周面に生じる凹状反り部に対応する部分の肉厚が、他の部分に比べて厚くなるように構成されている。これにより、コネクタハウジングの外周面とグロメットとの間の隙間をなくし、この隙間からの水分の浸入を防止している。
【先行技術文献】
【特許文献】
【０００３】
【特許文献１】特開２００７−８７８７４号公報
【発明の概要】
【発明が解決しようとする課題】
【０００４】
しかしながら、上記特許文献１に開示された従来技術のシールドコネクタでは、グロメットの被挟圧部の外表面及び締結部材の被挟圧部との接触面が、それぞれ一般的には平坦な面となっているため、被挟圧部を締結部材で締め付けた際に、平坦な面同士がグロメットと締結部材との摩擦により密着した状態のまま締結部材の締結部分方向に引っ張られることとなる。
【０００５】
この場合、グロメットの被挟圧部が偏って変形してその一部がコネクタハウジングの外周面から浮くように離れることがあるので、コネクタハウジングとグロメットとの間に隙間が生じてしまい、防水性を損なうおそれがある。
【０００６】
この発明は、上述した従来技術による問題点を解消し、締結部材を締め付けたときにコネクタハウジングとの間に隙間が生じることなく、確実な防水性を確保することができるグロメットを提供することを目的とする。
【課題を解決するための手段】
【０００７】
本発明に係るグロメットは、コネクタハウジングの外周面に取り付けられるグロメットであって、先端側の外表面の締結部材が装着される部分に低摩擦部を形成したことを特徴とする。
【０００８】
本発明に係るグロメットによれば、先端側の外表面の締結部材が装着される部分に低摩擦部が形成されているので、締結部材を締め付けた際に、グロメットと締結部材との摩擦が抑えられ、締結部材が滑りながらグロメットを締め付けるので、グロメットが偏って変形し、その一部がコネクタハウジングの外周面から浮くように離れることがない。このため、確実な防水性を確保することができる。
【０００９】
本発明の一実施形態においては、前記低摩擦部は、前記外表面の少なくとも一部に形成された凹凸面である。
【００１０】
本発明の他の実施形態においては、前記低摩擦部は、前記外表面の少なくとも一部に所定の塗料が塗布された部分である。
【００１１】
本発明の更に他の実施形態においては、前記低摩擦部は、前記外表面の少なくとも曲面部分に形成されている。
【発明の効果】
【００１２】
本発明によれば、締結部材を締め付けたときにコネクタハウジングとの間に隙間が生じることなく、確実な防水性を確保することができる。
【図面の簡単な説明】
【００１３】
【図１】本発明の一実施形態に係るグロメットが備えられた防水コネクタを示す分解斜視図である。
【図２】同防水コネクタの断面図である。
【図３】同防水コネクタのグロメットのバンド装着部の断面図である。
【図４】同防水コネクタのグロメットのバンド装着部の断面図である。
【図５】バンド装着部における低摩擦部の形成箇所のバリエーションを示す断面図である。
【図６】バンド装着部における低摩擦部の形成箇所のバリエーションを示す断面図である。
【図７】バンド装着部における低摩擦部の形成箇所のバリエーションを示す断面図である。
【図８】バンド装着部における低摩擦部の形成箇所のバリエーションを示す断面図である。
【図９】バンド装着部における低摩擦部の形成箇所のバリエーションを示す断面図である。
【発明を実施するための形態】
【００１４】
以下、添付の図面を参照して、この発明の実施の形態に係るグロメットを詳細に説明する。
【００１５】
図１は、本発明の一実施形態に係るグロメットが備えられた防水コネクタを示す分解斜視図である。図２は、防水コネクタの断面図である。また、図３及び図４は、防水コネクタのグロメットのバンド装着部の断面図である。図１及び図２に示すように、本実施形態に係るグロメット１を備える防水コネクタ５は、グロメット１の他に、ワイヤハーネス２と、このワイヤハーネス２に取り付けられた接続端子３が収容される樹脂成形部材からなるコネクタハウジング４とを備える。
【００１６】
グロメット１は、例えばゴムやエラストマー等の弾性材からなり、先端側及び基端側がそれぞれコネクタハウジング４の後方側（基端側）の外周面４ａ（図３等参照）及びワイヤハーネス２の先端側（端末側）の表面に取り付けられる。このグロメット１は、コネクタハウジング４の基端側に設けられた、ワイヤハーネス２の端末部を収容する端末部収容孔（図示せず）の開口部を塞ぎつつ、ワイヤハーネス２の端末部を覆うことで、防水コネクタ５の防水シールの役割を担っている。
【００１７】
グロメット１の先端側には、その外表面１ａａに締結部材である結束バンド６が装着されるバンド装着部１ａが形成されている。また、バンド装着部１ａの外表面１ａａの少なくとも一部には、結束バンド６の内周面６ａとの摩擦を低減するための低摩擦部１ａｂが形成されている。この低摩擦部１ａｂについては、後述する。
【００１８】
一方、グロメット１の基端側には、ワイヤハーネス２の一部に別の結束バンドまたは粘着テープなどの捲回（図示せず）により締結される端部１ｂが形成されている。そして、グロメット１は、上述したバンド装着部１ａ及び端部１ｂ間を繋ぎ、ワイヤハーネス２の端末部を覆って保護する蛇腹部１ｃを更に備えて構成されている。
【００１９】
ワイヤハーネス２は、例えば複数の被覆電線７を包囲する編組シールド部材８を有する構造からなる。コネクタハウジング４内には、金属部材からなるシールドシェル９が内蔵されている。ワイヤハーネス２は、各被覆電線７を中心部に束ねた状態で有し、これらの外周側に編組シールド部材８を包囲するように配置して、更に編組シールド部材８の外周側を被覆部材２ａで覆った構造からなる。
【００２０】
なお、編組シールド部材８は、例えば細い複数のシールド線を編み込んだ構造からなり、編み込んだ状態からの型崩れ等を防ぐためのビニール等の補強介材（図示せず）を備えて構成されている。ワイヤハーネス２の端末部には、例えば各被覆電線７を保持するリテーナ４０と、このリテーナ４０との間に編組シールド部材８を挟み込んだ状態で嵌合されるインナーフェルール５０や、このインナーフェルール５０との間に編組シールド部材８を挟み込んだ状態で嵌合されるアウターフェルール６０等の金属部材からなるフェルール類とが取り付けられている。リテーナ４０の先端側には、各被覆電線７を密着状態で通しつつシールする孔部８１が形成されたリング状のゴム部品８０が複数設けられる。
【００２１】
接続端子３は、例えば公知の圧着タイプの端子であり、図示しない接続相手方接続端子と直接接続される接続部３ａと、被覆電線７の芯線７ａが圧着される圧着部３ｂと、被覆電線７を接続端子３に対して押さえる押え部３ｃとを備えて構成されている。そして、接続端子３は、各被覆電線７の芯線７ａの先端に圧着により取り付けられる。
【００２２】
図２に示すように、コネクタハウジング４は、例えば内部に各被覆電線７及び接続端子３を収容する端子収容孔１１と、この端子収容孔１１の後方側に形成されたワイヤハーネス２の端末部を収容する端末部収容孔１２とを備えている。また、コネクタハウジング４は、端子収容孔１１の前方側に形成された相手方コネクタハウジング（図示せず）が嵌合される嵌合穴１３と、この嵌合穴１３及び端子収容孔１１と同一内面レベルで形成されたシールドシェル９を収容するシールドシェル収容孔１４とを備えている。
【００２３】
更に、コネクタハウジング４は、嵌合穴１３の外周側に環状に形成され、相手方コネクタハウジングの周壁が嵌合される周壁嵌合部１５と、相手方コネクタハウジングに設けられたロック片と係合してコネクタハウジング同士の嵌合状態をロックして保持するロック部１６とを備えている。
【００２４】
なお、コネクタハウジング４の嵌合穴１３の先端側は段部を経由して大径に形成され、周壁嵌合部１５内には、例えば環状に形成されたハウジングシール１７が挿入取付されている。また、シールドシェル９は、例えばシールドシェル収容孔１４内に挿入可能な筒状に形成された金属部材からなる。
【００２５】
グロメット１のバンド装着部１ａの外表面１ａａに形成された低摩擦部１ａｂは、例えば次のように構成されている。まず、上述した通り、図３に示すように、グロメット１のバンド装着部１ａは、内部に芯線７ａを有する被覆電線７がそれぞれ挿通されたコネクタハウジング４の基端側の外周面４ａに、内周面１ｄが密着するように覆い被せられて取り付けられる。
【００２６】
低摩擦部１ａｂは、このように取り付けられたバンド装着部１ａの外表面１ａａの全体（全周、全面）にわたって、例えばシボ加工や梨地加工等の加工により形成された凹凸面により構成されている。そして、低摩擦部１ａｂが全体に形成されたバンド装着部１ａの外表面１ａａには、内周面６ａが接するように結束バンド６が装着される。
【００２７】
このようなグロメット１が取り付けられた防水コネクタ５においては、上記のようにバンド装着部１ａに結束バンド６を取り付けた状態で結束バンド６を締め付けたとしても、バンド装着部１ａの外表面１ａａに低摩擦部１ａｂが形成されているので、グロメット１と結束バンド６との摩擦が抑えられる。
【００２８】
すなわち、結束バンド６を締め付けた際に、バンド装着部１ａの外表面１ａａと結束バンド６の内周面６ａとが十分に滑りながらグロメット１を締め付けていくので、従来のようにグロメット１が偏って変形することがなく、グロメット１のバンド装着部１ａの内周面１ｄがコネクタハウジング４の外周面４ａから浮いて離れることを防止することができる。これにより、本実施形態に係るグロメット１を用いれば、防水コネクタ５の確実な防水性を確保することが可能となる。
【００２９】
なお、低摩擦部１ａｂは、上記のような凹凸面により構成される他、図４に示すように、例えばテフロン（登録商標）やシリコーン、或いはウレタン等の摩擦係数を低く抑えることが可能な所定の塗料が外表面１ａａの全体にわたって塗布されることにより構成されていても良い。このように所定の塗料により低摩擦部１ａｂが構成されても、結束バンド６（図示せず）が滑りながらグロメット１を締め付けることができるので、上記と同様の作用効果を奏することができる。
【００３０】
なお、上記低摩擦部１ａｂは、バンド装着部１ａの外表面１ａａの全体にわたって形成されていることとしたが、低摩擦部１ａｂは、バンド装着部１ａの外表面１ａａの少なくとも曲面を構成する部分に形成されていれば良い。図５〜図９は、バンド装着部１ａにおける低摩擦部１ａｂの形成箇所のバリエーションを示す断面図である。これら図５〜図９においては、外表面１ａａと低摩擦部１ａｂとの相違を図示せず、同一線で示している。
【００３１】
図５に示すように、例えばコネクタハウジング４の基端側の外周面４ａとバンド装着部１ａの外表面１ａａとが、断面で見て一部に直線部分を有する楕円状に形成されている場合、低摩擦部１ａｂは、外表面１ａａのうち、少なくとも曲面部分２０Ａの範囲に形成されていれば良い。
【００３２】
また、図６に示すように、例えばコネクタハウジング４の基端側の外周面４ａとバンド装着部１ａの外表面１ａａとが、断面で見て角丸矩形状に形成されている場合は、低摩擦部１ａｂは、外表面１ａａのうちの少なくとも曲面部分２０Ｂの範囲に形成されていれば良い。
【００３３】
同様に、図７に示すような外周面４ａ及び外表面１ａａが全て曲線で構成される楕円状に形成されている場合や、図８に示すような外周面４ａ及び外表面１ａａが真円に近い環状に形成されている場合、或いは図９に示すような外周面４ａ及び外表面１ａａが角丸三角形状（おにぎり形状）に形成されている場合も、低摩擦部１ａｂは外表面１ａａのうちの少なくとも曲面部分２０Ｃ，２０Ｄ，２０Ｅの範囲に形成されていれば良い。
【００３４】
これら曲面部分２０Ａ〜２０Ｅの範囲は、外表面１ａａ全体に対して最も大きな曲率の部分であっても良い。これら曲面部分２０Ａ〜２０Ｅの範囲に低摩擦部１ａｂが形成されることにより、上述した作用効果を奏するのみならず、全体にわたって形成するよりも金型コスト等を抑えることができると共に、結束バンド６との摩擦が大きくなる箇所の摩擦を低減することが可能となる。
【符号の説明】
【００３５】
１          グロメット
１ａ        バンド装着部
１ａａ      外表面
１ａｂ      低摩擦部
１ｂ        端部
１ｃ        蛇腹部
１ｄ        内周面
２          ワイヤハーネス
２ａ        被覆部材
３          接続端子
３ａ        接続部
３ｂ        圧着部
３ｃ        押え部
４          コネクタハウジング
４ａ        外周面
５          防水コネクタ
６          結束バンド
６ａ        内周面
７          被覆電線
７ａ        芯線
８          編組シールド部材
９          シールドシェル
【図１】
2015050830.tif 000003
【図２】
2015050830.tif 000004
【図３】
2015050830.tif 000005
【図４】
2015050830.tif 000006
【図５】
2015050830.tif 000007
【図６】
2015050830.tif 000008
【図７】
2015050830.tif 000009
【図８】
2015050830.tif 000010
【図９】
2015050830.tif 000011